(57)【要約】  小型化することができると共に、高い音像定位効果を得ることができるイヤホンを提供する。イヤホンは、音を発生させる第１スピーカ部及び第２スピーカ部と、第１スピーカ部に関連付けられた第１出音部と、第２スピーカ部に関連付けられた第２出音部と、外耳道内の閉塞効果を抑制する閉塞効果抑制部と、を備える。第１スピーカ部及び第２スピーカ部は個別に駆動可能である。
2016171250.tif 000002
【特許請求の範囲】
【請求項１】
音を発生させる第１スピーカ部及び第２スピーカ部と、
前記第１スピーカ部に関連付けられた第１出音部と、
前記第２スピーカ部に関連付けられた第２出音部と、
外耳道内の閉塞効果を抑制する閉塞効果抑制部と、を備え、
前記第１スピーカ部及び前記第２スピーカ部は個別に駆動可能である、イヤホン。
【請求項２】
前記第１スピーカ部を収容する第１筐体と、
前記第２スピーカ部を収容する第２筐体と、
をさらに備える、請求項１に記載のイヤホン。
【請求項３】
前記第１出音部は前記第１筐体に配され、
前記第２出音部は前記第２筐体に配されている、請求項２に記載のイヤホン。
【請求項４】
前記第１スピーカ部で発生した音を前記第１出音部へ導く第１音導部と、
前記第２スピーカ部で発生した音を前記第２出音部へ導く第２音導部と、をさらに備え、
前記第１音導部と前記第２音導部とは物理的に隔離されている、請求項１に記載のイヤホン。
【請求項５】
前記第１音導部及び前記第２音導部を有する筐体をさらに備える、請求項４に記載のイヤホン。
【請求項６】
前記イヤホンを耳に装着するためのイヤーピースをさらに備える、請求項１〜５のいずれか一項に記載のイヤホン。
【請求項７】
前記閉塞効果抑制部は、前記イヤホンの耳への装着時に、外耳道の内外を連通させる貫通孔である、請求項１〜６のいずれか一項に記載のイヤホン。
【請求項８】
前記閉塞効果抑制部は、音を発生させる第３スピーカ部を有する、請求項１〜７のいずれか一項に記載のイヤホン。
【請求項９】
請求項１〜８のいずれか一項に記載のイヤホンと、
各スピーカ部の駆動を個別的に制御する制御部と、備える音響再生装置。
【請求項１０】
第１音源及び第２音源を準備する工程と、
請求項１〜８のいずれか一項に記載のイヤホンにおける前記第１出音部及び前記第２出音部を外耳道内に配する工程と、
前記第１音源を前記第１出音部から出音させると共に、前記第１音源に同期させて前記第２音源を前記第２出音部から出音させる工程と、を含む音響再生方法。
【発明の詳細な説明】
【技術分野】
【０００１】
［関連出願についての記載］
本発明は、日本国特許出願：特願２０１５−０８８１００号（２０１５年  ４月２３日出願）に基づくものであり、同出願の全記載内容は引用をもって本書に組み込み記載されているものとする。
本発明はイヤホンに関する。本発明は、イヤホンを備える音響再生装置に関する。本発明は、イヤホンを使用する音響再生方法に関する。
【背景技術】
【０００２】
立体的音像を得るためのイヤースピーカ装置が例えば特許文献１に開示されている。特許文献１に記載のイヤースピーカ装置は、リスナの頭部の所定位置に装着される第１筐体部と、上記第１筐体部の一面に取り付けられ、上記第１筐体部が上記リスナの頭部に装着された際、上記リスナの外耳道入口との間に所定距離が設けられるように配置された中高音用スピーカユニットと、上記第１筐体部を上記頭部に装着させるための装着部と、上記装着部を介して上記リスナの頭部に装着される第２筐体部と、上記第２筐体部に対して設けられる低音用スピーカユニットとを具える。【０００３】
特許文献２及び特許文献３には、いわゆるカナル（canal）型（インナーイヤー型）イヤホンが開示されている。【０００４】
特許文献２に記載のイヤホンは、音声を再生する第１スピーカユニット及び第２スピーカユニットと、第１スピーカユニットを収納する第１空間と、第１空間から外部へと通じる第１開口と、第２スピーカユニットを収納する第２空間と、第２空間から外部へと通じる第２開口と、が形成されたハウジングと、を備える。【０００５】
特許文献３に記載のイヤホンは、ハウジングと、ハウジングに搭載され、音波を生成してハウジング内に出力する複数の第１の音源と、を備え、ハウジングは、使用者の耳穴に挿脱され、使用者の耳穴への挿脱方向に見て耳穴の配置領域内において、使用者側の部分に形成される外部との第１の連通孔と使用者側に対して逆側の部分に形成される外部との第２の連通孔とを有する第１の音導管と、第１の音源が収納される収納部と、第１の音導管と収納部とを連通させる第２の音導管と、を備える。
【先行技術文献】
【特許文献】
【０００６】
【特許文献１】特開２００８−１４１６９１号公報
【特許文献２】特開２０１３−２６７４６号公報
【特許文献３】特開２０１４−１９７８２６号公報
【発明の概要】
【発明が解決しようとする課題】
【０００７】
以下の分析は、本発明の観点から与えられる。【０００８】
特許文献１に記載のイヤースピーカ装置においては、スピーカユニットを外耳道入口から離して配置しており、小型化が困難である。【０００９】
特許文献２及び特許文献３に記載のイヤホンによれば、これらのイヤホンを用いてバイノーラル録音された音源を聞いても音像定位効果を得ることが困難である。その原因の１つは閉塞効果にあると考えられる。図３６に、閉塞効果を説明するための模式図を示す。図３６は外耳道及び鼓膜の模式図である。図３６（ａ）は、イヤホンを装着していない状態を示す。図３６（ｂ）は、特許文献２及び特許文献３に記載のようなイヤホンを装着した状態を示す。図３６（ａ）に示す状態においては、外耳道入口は開放されている。一方、図３６（ｂ）に示す状態においては、外耳道入口はイヤホンによって閉塞されている。したがって、イヤホンの装着の有無によって外耳道の共鳴特性が変化してしまう。すなわち、イヤホンの装着の有無によって音の聞こえ方が異なってしまう。このため、バイノーラル録音された音源を使用したとしても、特許文献２及び特許文献３に記載のようなイヤホンによると音像定位効果を得ることができないと考えられる。【００１０】
本発明の目的は、上述の問題を解決するイヤホン、音響再生装置及び音響再生方法を提供することである。
【課題を解決するための手段】
【００１１】
本発明の第１視点によれば、音を発生させる第１スピーカ部及び第２スピーカ部と、第１スピーカ部に関連付けられた第１出音部と、第２スピーカ部に関連付けられた第２出音部と、外耳道内の閉塞効果を抑制する閉塞効果抑制部と、を備えるイヤホンが提供される。第１スピーカ部及び第２スピーカ部は個別に駆動可能である。【００１２】
本発明の第２視点によれば、第１視点に係るイヤホンと、各スピーカ部の駆動を個別的に制御する制御部と、備える音響再生装置が提供される。【００１３】
本発明の第３視点によれば、第１音源及び第２音源を準備する工程と、第１視点に係るイヤホンにおける第１出音部及び第２出音部を外耳道内に配する工程と、第１音源を第１出音部から出音させると共に、第１音源に同期させて第２音源を第２出音部から出音させる工程と、を含む音響再生方法が提供される。
【発明の効果】
【００１４】
本発明によれば、イヤホンを小型化することができると共に、高い音像定位効果を得ることができる。
【図面の簡単な説明】
【００１５】
【図１】第１実施形態に係るイヤホンの概略断面図。
【図２】複数の出音部及びスピーカ部の筐体の配列の例を示す概略斜視図。
【図３】複数の出音部及びスピーカ部の筐体の配列の例を示す概略斜視図。
【図４】複数の出音部及びスピーカ部の筐体の配列の例を示す概略斜視図。
【図５】複数の出音部及びスピーカ部の筐体の配列の例を示す概略斜視図。
【図６】複数の出音部及びスピーカ部の筐体の配列の例を示す概略斜視図。
【図７】第２実施形態に係るイヤホンの概略断面図。
【図８】第３実施形態に係るイヤホンの概略断面図。
【図９】第３実施形態に係るイヤホンの概略斜視図。
【図１０】第４実施形態に係るイヤホンの概略平面図。
【図１１】第４実施形態に係るイヤホンの概略断面図。
【図１２】複数の出音部の配置の例を示す概略分解図。
【図１３】複数の出音部の配置の例を示す概略分解図。
【図１４】複数の出音部の配置の例を示す概略分解図。
【図１５】複数の出音部の配置の例を示す概略分解図。
【図１６】複数の出音部の配置の例を示す概略分解図。
【図１７】複数の出音部の配置の例を示す概略分解図。
【図１８】第４実施形態に係るイヤホンの概略断面図。
【図１９】第５実施形態に係るイヤホンの概略断面図。
【図２０】第５実施形態に係るイヤホンの概略断面図。
【図２１】第６実施形態に係るイヤホンの概略断面。
【図２２】第６実施形態におけるイヤーピースの概略平面図。
【図２３】第７実施形態に係るイヤホンの概略断面図。
【図２４】複数の出音部の配置の例を示す概略分解図。
【図２５】複数の出音部の配置の例を示す概略分解図。
【図２６】複数の出音部の配置の例を示す概略分解図。
【図２７】複数の出音部の配置の例を示す概略分解図。
【図２８】複数の出音部の配置の例を示す概略分解図。
【図２９】複数の出音部の配置の例を示す概略分解図。
【図３０】複数の出音部の配置の例を示す概略分解図。
【図３１】複数の出音部の配置の例を示す概略分解図。
【図３２】第８実施形態に係る音響再生装置の概略図。
【図３３】第９実施形態に係る音響再生方法の概略ブロック図。
【図３４】イヤホンを人に装着するときの模式図。
【図３５】第９実施形態に係るマイクロホンの概略平面図。
【図３６】閉塞効果を説明するための模式図。
【発明を実施するための形態】
【００１６】
上記各視点の好ましい形態を以下に記載する。
【００１７】
上記第１視点の好ましい形態によれば、イヤホンは、第１スピーカ部を収容する第１筐体と、第２スピーカ部を収容する第２筐体と、をさらに備える。
【００１８】
上記第１視点の好ましい形態によれば、第１出音部は第１筐体に配されている。第２出音部は第２筐体に配されている。
【００１９】
上記第１視点の好ましい形態によれば、イヤホンは、第１スピーカ部で発生した音を第１出音部へ導く第１音導部と、第２スピーカ部で発生した音を第２出音部へ導く第２音導部と、をさらに備える。第１音導部と第２音導部とは物理的に隔離されている。
【００２０】
上記第１視点の好ましい形態によれば、イヤホンは、第１音導部及び第２音導部を有する筐体をさらに備える。
【００２１】
上記第１視点の好ましい形態によれば、イヤホンは、イヤホンを耳に装着するためのイヤーピースをさらに備える。
【００２２】
上記第１視点の好ましい形態によれば、閉塞効果抑制部は、イヤホンの耳への装着時に、外耳道の内外を連通させる貫通孔である。
【００２３】
上記第１視点の好ましい形態によれば、閉塞効果抑制部は、音を発生させる第３スピーカ部を有する。
【００２４】
以下の説明において、図面参照符号は発明の理解のために付記しているものであり、図示の態様に限定することを意図するものではない。各実施形態において、同じ要素には同じ符号を付してあるものがある。また、図示の寸法及び比率は、図示の態様に限定することを意図するものではない。
【００２５】
第１実施形態に係るイヤホンについて説明する。図１に、第１実施形態に係るイヤホンの概略断面図を示す。図１に示すイヤホン１００はカナル型（インナーイヤー型）イヤホンである。図１に示すイヤホンは、一方の耳（片耳）に適用するものである。以下の説明においては、一方の耳に適用するイヤホンについて説明する。両耳に適用するイヤホンについては、同様の構成を有するイヤホンを２つ設けることができる。両耳用のイヤホンにおいては、後述の制御部１０は１つであってもよい。すなわち、両耳のイヤホンで制御部１０を共用することができる。
【００２６】
イヤホン１００は、入力信号を音響に変換し、音波を発生させる（出力する）複数のスピーカ部（音波発生部、ドライバユニット）１，３、及び各スピーカ部１，３に対応する複数の出音部２ａ，４ａを備える。図１に示す形態においては、イヤホン１００は、スピーカ部及び出音部を２つずつ備える。１つの出音部に対し少なくとも１つのスピーカ部が関連付けられている。すなわち、イヤホン１００は、第１スピーカ部１、第２スピーカ部３、第１スピーカ部１に対応する第１出音部２ａ、及び第２スピーカ部３に対応する第２出音部４ａを備える。スピーカ部及び出音部の数は、２つに限定されることなく、３つ以上であってもよい。
【００２７】
スピーカ部１，３は、入力信号に基づいて所望の音波を発生可能なものであればいずれの形態であってもよい。スピーカ部１，３は、例えば、ダイナミック方式、バランスドアーマチュア方式、コンデンサ方式等、目的に応じた好適な方式を採用することができる。例えば、ダイナミック方式のスピーカ部１，３は、振動板（振動膜、ダイアフラム）、コイル、及び磁石を有することができる（不図示）。スピーカ部１，３は、無線又は有線（不図示）で駆動することができる。
【００２８】
イヤホン１００において、複数のスピーカ部は、異なる音を発生することができる。図１に示す形態においては、第１スピーカ部１及び第２スピーカ部３は、それぞれ独立して駆動可能に構成することができる。すなわち、第１スピーカ部１及び第２スピーカ部３には、個別の信号を供給することができる。
【００２９】
イヤホン１００は、第１スピーカ部１を収容する第１筐体２、及び第２スピーカ部３を収容する第２筐体４をさらに備える。第１出音部２ａは第１筐体２に形成されている。第２出音部４ａは第２筐体４に形成されている。出音部２ａ，４ａは、スピーカ部１，３から発生した音を筐体２，４の外部に伝播できるものであればいずれの形態であってもよい。出音部２ａ，４ａは、例えば、筐体２，４の内外を連通する少なくとも１つの貫通孔として形成することができる。出音部２ａ，４ａの位置及び向きは、所望の音響効果に応じて適宜設定することができる。例えば、出音部２ａ，４ａは、外耳道面方向を向いていてもよいし、鼓膜方向を向いていてもよい。図１に示す形態においては、１つの筐体は１つの出音部を有しているが、１つの筐体に形成する出音部の数は、２つ以上であってもよい。第１筐体２及び第２筐体４が露出した状態で耳に挿入される場合、第１筐体２及び第２筐体４は、人間の外耳道に挿入可能な大きさ、形状及び材質を有すると好ましい。なお、出音部の向きとは、出音部から音波が主として伝播する方向であり、例えば、開口が面する方向とすることができる。
【００３０】
複数の出音部（及び複数のスピーカ部）の配列は、所望の音響効果に応じて適宜設定することができる。図２〜図６に、複数の出音部及びスピーカ部の筐体の配列の例を示す概略斜視図を示す。図２〜図６においては、簡略化のためスピーカ部の筐体のみを図示してある。図２〜図６においては、イヤホンを耳に装着した状態において右側が外耳道の入口側、左側が鼓膜側となっている。図２〜図６においては、図１に示す筐体と同様の筐体を図示してあるが、別の形態の筐体であってもよい。
【００３１】
図２に示す形態においては、２つのスピーカ部の筐体２，４は、外耳道の軸方向に沿って（外耳道に対して直列的に）配列されている。２つの出音部２ａ，４ａは、鼓膜方向に向いておらず、例えば外耳道面方向を向いている。２つの出音部２ａ，４ａは、同一方向又は略同一方向を向いている。
【００３２】
図３に示す形態においては、２つのスピーカ部の筐体２，４は、外耳道の径方向に沿って（外耳道に対して並列的に）配列されている。２つの出音部２ａ，４ａは、鼓膜方向に向いておらず、例えば外耳道面方向を向いている。２つの出音部２ａ，４ａは、同一方向又は略同一方向を向いている。
【００３３】
図４に示す形態においては、イヤホンは、第３出音部１１ａを有する第３筐体１１をさらに備える。第３筐体１１には、第３スピーカ部（不図示）が収容されている。３つのスピーカ部の筐体２，４，１１は、外耳道の軸方向に沿って（外耳道に対して直列的に）配列されている。３つの出音部２ａ，４ａ，１１ａは、鼓膜方向に向いておらず、例えば外耳道面方向を向いている。３つの出音部２ａ，４ａ，１１ａは、同一方向を向いておらず、それぞれ異なる方向を向いている。
【００３４】
図５に示す形態においては、図３に示す形態に、第３筐体１１が付加されている。第３筐体１１は、２つのスピーカ部の筐体２，４に対して、外耳道の軸方向に沿って（外耳道に対して直列的に）配列されている。第３出音部１１ａは、第１出音部２ａ及び第２出音部４ａとは異なる方向を向いており、例えば鼓膜方向を向いている。
【００３５】
図６に示す形態においては、イヤホンは、第４出音部１２ａを有する第４筐体１２をさらに備える。第４筐体１２には、第４スピーカ部（不図示）が収容されている。図６に示す形態は、図２に示す形態を２つ備える。図２に示す形態が、外耳道の径方向に沿って（外耳道に対して並列的に）配列されている。４つの出音部２ａ，４ａ，１１ａ，１２ａは、鼓膜方向に向いておらず、例えば外耳道面方向を向いている。第１出音部２ａ及び第２出音部４ａは、同一方向又は略同一方向を向いている。第３出音部１１ａ及び第４出音部１２ａは、同一方向又は略同一方向を向いている。第１出音部２ａ及び第２出音部４ａと第３出音部１１ａ及び第４出音部１２ａとは異なる方向を向いている。
【００３６】
図２〜図６に示す例のように、複数の出音部の数、位置及び向きを調節することによって、所望の音響効果を実現することができる。
【００３７】
イヤホン１００は、使用時に外耳道に装着されるイヤーピース７をさらに備える。イヤーピース７には、筐体が接合されていると好ましい。例えば、イヤーピース７が外耳道に装着されたとき、イヤーピース７は、外耳道内に、スピーカ部１，３を含む筐体２，４を保持可能であると好ましい。イヤーピース７は、耳穴にフィットしやすい材料で作製することができる。例えば、イヤーピース７は、樹脂、エラストマ等で作製することができる。
【００３８】
イヤホン１００は、外耳道閉塞効果を抑制する第１閉塞効果抑制部８をさらに備える。第１閉塞効果抑制部８は、外耳道内の共鳴作用を抑制する又は打ち消すことが可能であればいずれの要素であってもよい。第１閉塞効果抑制部８には、例えば、鼓膜から反射した音を減衰させる手段を用いることができる。第１閉塞効果抑制部８としては、例えば、鼓膜で反射した音を減衰させる又は打ち消すためのスピーカ部、鼓膜で反射した音を吸収するための吸音部材等を用いることができる。第１閉塞効果抑制部８は、その作用に応じて適切な位置に配することができる。例えば、第１閉塞効果抑制部８は、イヤーピース７に配することができる。
【００３９】
図２〜図６に示す複数のスピーカ部のうち、少なくとも１つを閉塞効果抑制部として使用してもよい。
【００４０】
個別の信号で駆動可能な複数のスピーカ部を設けることにより、立体音像を認識するための音波の再現性を高めることができる。また、閉塞効果抑制部を設けることにより、外耳道閉塞効果によって音像定位能が阻害されることを抑制し、外耳道内部を人が実際に自然界の音を聞く状態に近づけることができる。これにより、第１実施形態に係るイヤホンによれば、上記作用の組み合わせによって音像定位の精度を高めることができる。第１実施形態に係るイヤホンは、例えば、バイノーラル録音された音源に好適に適用することができる。
【００４１】
第２実施形態に係るイヤホンについて説明する。図７に、第２実施形態に係るイヤホンの概略断面図を示す。
【００４２】
第２実施形態に係るイヤホン２００は、第１実施形態における第１閉塞効果抑制部に代えて、又は第１閉塞効果抑制部に加えて、外耳道閉塞効果を抑制する第２閉塞効果抑制部２１を備える。第２閉塞効果抑制部２１は、例えば、イヤーピース７を貫通する貫通孔として形成することができる。第２閉塞効果抑制部の大きさ、形状、数、位置等は、所望の効果が得られるように適宜設定することができる。
【００４３】
第２実施形態における上記以外の形態は、第１実施形態と同様とすることができる。
【００４４】
第２閉塞効果抑制部により、イヤホンを耳に装着した状態において、外耳道の内部と外部とを連通させることができる。これにより、外耳道閉塞効果によって音像定位能が阻害されることを抑制し、外耳道内部を人が実際に自然界の音を聞く状態に近づけることができる。第２実施形態によれば、第１実施形態と同様の効果を得ることができる。
【００４５】
第３実施形態に係るイヤホンについて説明する。図８に、第３実施形態に係るイヤホンの概略断面図を示す。図９に、第３実施形態に係るイヤホンの概略斜視図を示す。
【００４６】
第３実施形態に係るイヤホン３００は、第１実施形態に係るイヤホン又は第２実施形態に係るイヤホンの構成に加えて、スピーカ部１，３を実装する基板５、及びスピーカ部１，３を保持するホルダ６をさらに備える。
【００４７】
スピーカ部１，３は、基板５と電気的に接続されている。基板５としては、例えば、フレキシブル基板（ＦＰＣ；Flexible Printed Circuit）を用いることができる。ホルダ６は、例えば、筐体２，４を保持することによってスピーカ部１，３を保持することができる。ホルダ６は、柔らかい材料で作製すると好ましい。
【００４８】
第３実施形態における上記以外の形態は、第１及び第２実施形態と同様とすることができる。
【００４９】
第３実施形態によれば、第１及び第２実施形態と同様の効果を得ることができる。第３実施形態によれば、基板５及びホルダ６を柔らかい材料で作製することにより、外耳道内を傷つけることを防止できると共に、外耳道に沿ってイヤホンを変形させることができる。基板５を用いることによって、スピーカ部１，３に対する信号供給を容易にすることができると共に、スピーカ部１，３の保持を容易にすることができる。ホルダ６を用いることによって、スピーカ部１，３の保持を容易にすることができる。
【００５０】
第４実施形態に係るイヤホンについて説明する。図１０に、第４実施形態に係るイヤホンの概略平面図を示す。図１１に、図１０に示すイヤホンの概略断面図を示す。図１０に示すイヤホン４００はいわゆるカナル（canal）型イヤホンである。第１〜第３実施形態は、スピーカ部を外耳道内に挿入する形態であった。第４実施形態は、スピーカ部を外耳道内に挿入しない形態である。
【００５１】
第４実施形態に係るイヤホン４００は、複数のスピーカ部３３，３４と、複数のスピーカ部３３，３４を収容可能な筐体３１と、外耳道閉塞効果を抑制する閉塞効果抑制部３２と、を備える。図１０及び図１１に示す形態においては、イヤホン４００は、２つのスピーカ部３３，３４を備える。すなわち、イヤホン４００は、第１スピーカ部３３及び第２スピーカ部３４を備える。スピーカ部の数は、２つに限定されることなく、３つ以上であってもよい。
【００５２】
筐体３１は、各スピーカ部を収容する収容部を有する。図１０及び図１１に示す形態においては、筐体３１は、第１スピーカ部３３を収容する第１収容部３１ｃ及び第２スピーカ部を収容する第２収容部３１ｄを有する。第１収容部３１ｃ及び第２収容部３１ｄは、側枝の先に設けられている。
【００５３】
筐体３１は、各スピーカ部３３，３４から発生した音を外耳道内に伝播するための出音部３１ａ，３１ｂをさらに有する。図１０及び図１１に示す形態においては、出音部３１ａ，３１ｂは、筐体３１の内外を連通する少なくとも１つの貫通孔として形成することができる。出音部３１ａ，３１ｂは、イヤホン装着時に外耳道内に配される位置に形成すると好ましい。すなわち、出音部３１ａ，３１ｂは、閉塞効果抑制部３２よりも先端側（閉塞効果抑制部３２に対してスピーカ部３３，３４とは反対側）に配すると好ましい。出音部３１ａ，３１ｂの位置及び向きは、所望の音響効果に応じて適宜設定することができる。例えば、出音部３１ａ，３１ｂは、例えば、外耳道面方向を向いていてもよいし、鼓膜方向を向いていてもよい。
【００５４】
１つの出音部に対し少なくとも１つのスピーカ部が関連付けられていると好ましい。図１０及び図１１に示す形態においては、第１出音部３１ａは、第１スピーカ部３３に対応する。第２出音部３１ｂは、第２スピーカ部３４に対応する。対応するスピーカ部以外のスピーカ部の音を出力しないようにするため、第１出音部３１ａと第２出音部３１ｂとは、筐体３１内において連通していないと好ましい。例えば、筐体３１は、その内部に、各スピーカ部に対応する音導部を有することができる。音導部は、例えば、筐体内に形成された管路とすることができる。図１０及び図１１に示す形態においては、筐体３１は、第１スピーカ部３３に対応する第１音導部３５、及び第２スピーカ部３４に対応する第２音導部３６を有する。第１音導部３５と第２音導部３６とは隔離壁３７によって物理的に隔離されている。第１音導部３５は、第１出音部３１ａに接続され、第１出音部３１ａを介して外部と通じている。第２音導部３６は、第２出音部３１ｂに接続され、第２出音部３１ｂを介して外部と通じている。これにより、第１スピーカ部３３から発生した音は、第１音導部３５を通って第１出音部３１ａから出力される。第２スピーカ部３４から発生した音は、第２音導部３６を通って第２出音部３１ｂから出力される。各音導部の大きさ、経路は、所望の音響効果に応じて適宜設定することができる。隔離壁３７は、第１音導部３５を通る音波と第２音導部３６を通る音波が干渉することを抑制できるものであると好ましい。例えば、隔離壁３７は、厚さ０．３ｍｍ〜１ｍｍの樹脂で形成することができる。
【００５５】
複数の出音部の配置は、所望の音響効果に応じて適宜設定することができる。図１２〜図１７に、複数の出音部の配置の例を示す概略分解図を示す。図１２〜図１７においては、簡略化のため筐体の一部のみを図示してある。図１２〜図１７においては、図１０及び図１１に示す筐体と同様の筐体を図示してあるが、別の形態の筐体であってもよい。
【００５６】
図１２に示す形態においては、２つの出音部３１ａ，３１ｂは、鼓膜方向に向いておらず、例えば外耳道面方向を向いている。２つの出音部３１ａ，３１ｂは、同一方向又は略同一方向を向いている。第１出音部３１ａは、外耳道入口側（スピーカ部側）に配されている。第２出音部３１ｂは、鼓膜側（先端側）に配されている。
【００５７】
図１３に示す形態においては、２つの出音部３１ａ，３１ｂは、鼓膜方向に向いておらず、例えば外耳道面方向を向いている。２つの出音部３１ａ，３１ｂは、反対方向を向いている。第１出音部３１ａは、外耳道入口側に配されている。第２出音部３１ｂは、鼓膜側に配されている。
【００５８】
図１４に示す形態においては、２つの出音部３１ａ，３１ｂは、鼓膜方向に向いておらず、例えば外耳道面方向を向いている。２つの出音部３１ａ，３１ｂは、同一方向又は略同一方向を向いている。第１出音部３１ａ及び第２出音部３１ｂは、外耳道の径方向に並列的に配されている。
【００５９】
図１５に示す形態においては、２つの出音部３１ａ，３１ｂは、鼓膜方向に向いておらず、例えば外耳道面方向を向いている。２つの出音部３１ａ，３１ｂは、反対方向を向いている。第１出音部３１ａ及び第２出音部３１ｂは、外耳道の径方向に並列的に配されている。
【００６０】
図１６に示す形態においては、第１出音部３１ａは、鼓膜方向を向いている。第２出音部３１ｂは、外耳道面方向を向いている。
【００６１】
図１７に示す形態においては、第１出音部３１ａ及び第２出音部３１ｂは、鼓膜方向を向いている。
【００６２】
図１２〜図１７に示す例のように、複数の出音部の数、位置及び向きを調節することによって、所望の音響効果を実現することができる。
【００６３】
閉塞効果抑制部３２は、イヤホン４００を耳に装着するためのイヤーピースとしても作用すると好ましい。閉塞効果抑制部３２は、例えば、鼓膜から反射した音を減衰させる吸音部材を有することができる。閉塞効果抑制部３２は、出音部３１ａ，３１ｂに干渉しない位置に形成すると好ましい。閉塞効果抑制部３２は、環状形状を有することができる。筐体３１の一部は、出音部３１ａ，３１ｂが閉塞効果抑制部３２の一方の側に露出するように、閉塞効果抑制部３２の穴に挿入することができる。閉塞効果抑制部３２は、筐体３１に接着剤で固定することができる。また、閉塞効果抑制部３２は、筐体３１の外部に形成した溝部、凹部、切欠部等を用いた嵌め込み等によって機械的に筐体３１に固定してもよい。
【００６４】
第４実施形態において、音導部の形態、スピーカ部の数及び配置等は、所望の効果に応じて適宜設定することができる。図１８に、図１１とは異なる形態のイヤホンの概略断面図を示す。
【００６５】
図１８に示すイヤホン５００においては、図１１に示すイヤホン４００よりも音導部３５，３６の長さが短縮されている。すなわち、筐体３１の側枝がない状態である。これにより、筐体の簡略化及びイヤホンの小型化が可能となる。
【００６６】
第４実施形態における上記以外の形態は、第１〜第３実施形態と同様とすることができる。
【００６７】
第４実施形態によれば、第１実施形態と同様の効果を得ることができる。第４実施形態によれば、外耳道内に挿入できない大きさのスピーカ部を用いることができる。これにより、音質の優れたスピーカ部を備えるイヤホンを実現することができる。
【００６８】
第５実施形態に係るイヤホンについて説明する。図１９に、第５実施形態に係るイヤホンの概略断面図を示す。第４実施形態においては、１つの音導部に対して１つのスピーカ部が配されていた。第５実施形態においては、１つの音導部に対して複数のスピーカ部が配されている。
【００６９】
イヤホン６００は、図１１に示すイヤホンの構成に加えて、第３スピーカ部３８、第４スピーカ部３９、並びに第３スピーカ部３８及び第４スピーカ部３９を収容する第３収容部３１ｅをさらに備える。図１１に示すイヤホン４００のように、閉塞効果抑制部（イヤーピース）３２は設けられていない。第３スピーカ部３８は、耳への挿入側とは反対側の第１音導部３５の末端に配されている。第４スピーカ部３９は、耳への挿入側とは反対側の第２音導部３６の末端に配されている。図１９に示す形態においては、イヤホン６００における複数のスピーカ部のうち少なくとも１つは、閉塞効果抑制部として使用することができる。イヤーピースがないので、筐体３１の形状及び大きさは、外耳道の形状及び大きさに合わせて適宜設計することができる。
【００７０】
図２０に、図１９とは異なる形態のイヤホンの概略断面図を示す。イヤホン７００は、図１９に示すイヤホンの構成に加えて、耳への装着性を高めるイヤーピース４０をさらに備える。スピーカ部で構成した閉塞効果抑制部に加えて、イヤーピース４０は、吸音部材で作製して、閉塞効果抑制部として作用させることもできる。
【００７１】
第５実施形態における上記以外の形態は、第１〜第４実施形態と同様とすることができる。
【００７２】
第５実施形態によれば、第１及び第４実施形態と同様の効果を得ることができる。第５実施形態によれば、音響効果の選択の幅を増やすことができる。
【００７３】
第６実施形態に係るイヤホンについて説明する。図２１に、第６実施形態に係るイヤホンの概略断面図を示す。第６実施形態に係るイヤホン８００は、図１１に示すイヤホンにおける閉塞効果抑制部３２に代えて、イヤーピース４１を備える。ただし、イヤーピース４１が閉塞効果抑制部４１ａを有している。
【００７４】
図２２に、イヤーピース４１の概略平面図を示す。イヤーピース４１は、閉塞効果抑制部４１ａ、及び筐体３１にイヤーピース４１を取り付けるための取付孔４１ｂを有する。閉塞効果抑制部４１ａは、イヤホン８００を耳に装着した状態において、外耳道の内部と外部とを連通させる貫通孔として形成することができる。貫通孔の数、大きさ及び位置は、閉塞効果に対する抑制効果に応じて適宜設計することができる。
【００７５】
第６実施形態における上記以外の形態は、第１〜第５実施形態と同様とすることができる。
【００７６】
第６実施形態によれば、第１及び第４実施形態と同様の効果を得ることができる。第６実施形態によれば、簡易な構成によって閉塞効果に対する抑制効果を得ることができる。
【００７７】
第７実施形態に係るイヤホンについて説明する。図２３に、第７実施形態に係るイヤホンの概略断面図を示す。第７実施形態に係るイヤホン９００においては、閉塞効果抑制部は筐体に設けられている。
【００７８】
イヤホン９００において、筐体３１は、閉塞効果抑制部３１ｆを有する。閉塞効果抑制部３１ｆは、イヤホン９００を耳に装着した状態において、外耳道の外部となる位置に形成すると好ましい。閉塞効果抑制部３１ｆは、音導部３５，３６と筐体３１の外部とを連通する貫通孔として構成することができる。閉塞効果抑制部３１ｆは、複数の音導部のうち、少なくとも１つの音導部と筐体３１の外部とを連通させると好ましい。図２３に示す形態においては、耳への挿入側とは反対側の筐体３１の末端に、第１音導部３５及び第２音導部３６の両方を筐体３１の外部と連通させる閉塞効果抑制部３１ｆが形成されている。これにより、イヤホン９００の装着時において、外耳道内部と外耳道外部とは、出音部３１ａ，３１ｂ（図２３において不図示）、音導部３５，３６及び閉塞効果抑制部３１ｆを介して連通することができる。閉塞効果抑制部３１ｆの数、大きさ、形状、及び位置は、閉塞効果に対する抑制効果に応じて適宜設計することができる。
【００７９】
複数の出音部の配置は、所望の音響効果に応じて適宜設定することができる。図２４〜図３１に、複数の出音部の配置の例を示す概略分解図を示す。図２４〜図３１においては、簡略化のため筐体の一部のみを図示してある。図２４〜図３１においては、図２３に示す筐体と同様の筐体を図示してあるが、別の形態の筐体であってもよい。図２４〜図２９に示す形態は、第１音導部３５及び第２音導部３６の両方に閉塞効果抑制部３１ｆが形成されていること以外は、図１２〜図１７に示す形態と同様である。図３０〜図３１に示す形態は、第１音導部３５及び第２音導部３６のうち、一方の音導部に閉塞効果抑制部３１ｆが形成されている。図３０〜図３１に示す形態は、第１音導部３５に閉塞効果抑制部が形成されていないこと以外は、図２８〜図２９に示す形態と同様である。出音部の配置及び閉塞効果抑制部の有無を組み合わせることによって音響効果を変化させることができる。
【００８０】
イヤホン９００は、上記において説明したようなイヤーピース（不図示）をさらに備えることもできる。イヤーピースには、閉塞効果に対する抑制手段を設けてもよい。
【００８１】
第７実施形態における上記以外の形態は、第１〜第６実施形態と同様とすることができる。
【００８２】
第７実施形態によれば、第１及び第４実施形態と同様の効果を得ることができる。第７実施形態によれば、簡易な構成によって閉塞効果に対する抑制効果を得ることができる。
【００８３】
次に、第８実施形態に係る音響再生装置について説明する。図３２に、第８実施形態に係る音響再生装置の概略図を示す。図３２に示す形態においては、第３実施形態に係るイヤホンを図示してあるが、イヤホンの形態は、本願開示に係るイヤホンであればいずれの形態であってもよい。
【００８４】
音響再生装置１０００は、図８及び図９に示すイヤホン３００、及び各スピーカ部１，３の駆動を個別的に制御することができる制御部１０を備える。制御部１０は、複数のスピーカ部１，３に個別的に信号を供給して、複数のスピーカ部１，３からそれぞれ異なる音を発生させることができる。制御部１０は、マイクロホンの機能を有してもよい。すなわち、制御部１０は、音源（情報、信号）を、当該音源に関連付けられた別の形式の信号へと変換してもよい。
【００８５】
制御部１０は、第１スピーカ部１を駆動するための、第１音源に関連付けられた第１信号を第１スピーカ部１に供給し、第１スピーカ部から第１音源を発生させることができる。制御部１０は、第２スピーカ部３を駆動するための、第２音源に関連付けられた第２信号を第２スピーカ部３に供給し、第２スピーカ部３から第２音源を再生させることができる。制御部１０は、第１音源及び第２音源を同期させるように、第１信号及び第２信号をスピーカ部１，３に供給することができる。
【００８６】
スピーカ部を閉塞効果抑制部として使用する場合には、制御部１０は、外耳道内で反響する音を減衰させる又は打ち消す音に関連付けられた第３信号を閉塞効果抑制部に供給する。制御部１０は、スピーカ部１，３の駆動と閉塞効果抑制部の駆動とを同期させることができる。
【００８７】
音響再生装置１０００は、各スピーカ部１，３と制御部１０とを電気的に接続する信号線９をさらに備える。信号線９は、基板５に電気的に接続することができる。基板５がない場合には、信号線９は、各スピーカ部１，３に直接接続してもよい。制御部１０からの信号は、信号線９及び基板５に形成された回路を通じて各スピーカ部１，３に伝達することができる。図３２に示す形態においては、信号線９を用いる有線方式を示した。音響再生装置１０００は、信号線９を用いない無線方式であってもよい。無線方式とする場合、音響再生装置１０００は、制御部１０と各スピーカ部１，３間で信号を送受信するためのアンテナ及び無線回路をさらに備えることができる（不図示）。閉塞効果抑制部８がスピーカ部を含む場合には、制御部１０は、上記と同様にして、信号供給可能となるように閉塞効果抑制部８とも電気的に接続される。制御部１０は、音源（音情報）を記憶するための記憶部、音源を記録した記録媒体を読み取るための読取部等をさらに備えることができる（不図示）。
【００８８】
第８実施形態におけるイヤホンの形態は、第１〜第７実施形態と同様とすることができる。
【００８９】
第８実施形態によれば、第１〜第７実施形態に係るイヤホンによる効果を実現することができる。
【００９０】
次に、第９実施形態に係る音響再生方法及びマイクロホンについて説明する。音響再生方法は、第１〜第７実施形態に係るイヤホンの使用方法及び第８実施形態に係る音響再生装置の使用方法を含む。図３２に示す音響再生装置を例にして音響再生方法について説明する。図３３に、第９実施形態に係る音響再生方法の概略ブロック図を示す。
【００９１】
音響再生方法は、各スピーカ部１，３に対応する少なくとも１つの音源を準備する工程（Ｓ１１）と、イヤホン３００を耳に装着する工程（Ｓ１２）と、各音源に関連付けられた信号を、対応する各スピーカ部１，３に供給し、各スピーカ部１，３を個別的に駆動させて、各出音部２ａ，４ａから、対応する音源を出力させる工程（Ｓ１３）と、を含む。工程の順序は入れ替えることができる。閉塞効果抑制部８がスピーカ部を含む場合には、閉塞効果抑制部８のスピーカ部も同様の工程で駆動させる。複数の音源は同じ音データであってもよいし、異なる音データであってもよい。すなわち、複数のスピーカ部１，３には、同じ信号を供給してもよいし、異なる信号を供給してもよい。同じ信号を供給された場合には、第１スピーカ部１及び第２スピーカ部３は同じ音を発することになる。異なる信号を供給された場合には、第１スピーカ部１及び第２スピーカ部３は異なる音を発することになる。
【００９２】
ステップＳ１１は、例えば、所望の音をバイノーラル録音する工程を含むことができる。例えば、少なくとも１つの音源を準備する工程に使用するマイクロホンは、複数の受音部を有することができる。マイクロホンは、受音した音を記録する録音装置をさらに有することができる。複数の受音部は、外耳道（模型の外耳道を含む、以下において同じ）内に挿入可能であると好ましい。複数の受音部は、例えば、バイノーラル録音用マイクロホン（ダミーヘッドマイク）に設けることができる。図３５に、第９実施形態に係るマイクロホンの概略平面図を示す。図３５には、イヤホン３００の一部の概略平面図も併せて示す。マイクロホン１１００は、バイノーラル録音に使用可能なマイクロホンである。マイクロホン１１００は、第１受音部６１及び第２受音部６２を有する。マイクロホン１１００の第１受音部６１は、イヤホン３００の第１出音部２ａに対応すると好ましい。第２受音部６２は、第２出音部４ａに対応すると好ましい。
【００９３】
マイクロホンにおける複数の受音部の相対的位置関係は、イヤホンの複数の出音部の相対的位置関係と対応すると好ましい。例えば、第１受音部６１及び第２受音部６２の相対的位置関係は、イヤホン３００の第１出音部２ａ及び第２出音部４ａの相対的位置関係と同様であると好ましい。特に、第１受音部６１及び第２受音部６２の外耳道内における相対的位置関係が、イヤホン３００の第１出音部２ａ及び第２出音部４ａの外耳道内における相対的位置関係と対応する（同様である）と好ましい。相対的位置関係とは、例えば、外耳道内における受音部（出音部）の位置、受音部間（出音部間）の距離、外耳道内における複数の受音部（出音部）の配列方向等である。例えば、外耳道内において、第１受音部６１の位置は、第１出音部の位置に対応すると好ましい。第２受音部６２の位置は、第２出音部の位置に対応すると好ましい。１つの受音部（例えば第１受音部６１）を１つの出音部（例えば第１出音部）と同じ位置に置いたとき、他の受音部（例えば第２受音部６２）の位置が他の出音部（例えば第２出音部）の位置と重複する又は近くにあると好ましい。
【００９４】
ステップＳ１１は、複数の受音部において同時に音を収集し、受音部毎に音源を作成する工程を有すると好ましい。例えば、第１受音部６１及び第２受音部６２において同時に集音を行う。集音はバイノーラル録音で行うことができる。例えば、第１受音部６１及び第２受音部６２は、外耳道内又は人の頭部を模した模型の疑似的外耳道内に配して集音又は録音を行うことができる。第１受音部６１から集音された音で第１音源を作成する。第２受音部６２から集音された音で第２音源を作成する。
【００９５】
ステップＳ１１は、各音源を記憶媒体に記憶させる工程を含むことができる。
【００９６】
図３４に、イヤホンを人に装着するときの模式図を示す。ステップＳ１２において、人５０の外耳道５１内にイヤホン３００の出音部を挿入するように、イヤホン３００を装着する。第１出音部２ａ及び第２出音部４ａを外耳道内の所定の位置に配する。両方の耳に装着するイヤホン３００は、１つの制御部１０で制御することができる。
【００９７】
ステップＳ１３において、各音源に関連付けられた、スピーカ部駆動用の信号を、対応するスピーカ部に供給する。例えば、第１スピーカ部１駆動用の第１信号、及び第２スピーカ部３駆動用の第２信号を同期させながら、第１信号を第１スピーカ部１に供給して、第１スピーカ部１を駆動させる。同様に、第２信号を第２スピーカ部３に供給して、第２スピーカ部３を駆動させる。これにより、第１音源と第２音源を同期させながら、第１音源を第１出音部２ａから再生することができる。第２音源を第２出音部４ａから再生することができる。すなわち、第１音源と第２音源を同時に発生させることができる。
【００９８】
ステップＳ１３は、記憶媒体に記憶された音源を読み出す工程を含むことができる。ステップＳ１３は、各音源に基づいてスピーカ部駆動用の信号を出力する工程を含むことができる。例えば、第１音源に基づいて第１信号を形成する。同様に、第２音源に基づいて第２信号を形成する。
【００９９】
上述においては、一方の耳用の音源を準備するための、２つの受音部を有するマイクロホンについて説明したが、受音部の数は３つ以上であってもよい。受音部の数は、集音した音源を出力するイヤホンの出音部の数に合わせると好ましい。
【０１００】
上述においては、一方の耳に装着するイヤホンについての音響再生方法及びマイクロホンについて説明した。両方の耳に装着するステレオ型イヤホンにおいては、他方の耳に装着するイヤホンも上述と同様の音響再生方法及びマイクロホンを適用することができる。例えば、ステレオ型イヤホンにおいて、両耳合わせて４つのスピーカ部がある場合、４つの音源を準備することができる。各スピーカ部には、それぞれ対応する音源に関連付けられた信号を供給することができる。
【０１０１】
上述の音源作成工程に代えて又は加えて、少なくとも１つの音源を準備する工程は、音源をバイノーラル録音調に処理して、各出音部から出力するための複数の音源を作成する工程を含むことができる。
【０１０２】
スピーカ部を閉塞効果抑制部として使用する場合、そのスピーカ部から外耳道内で反響した音を打ち消す又は減衰させるための第３音源を、第１音源及び第２音源と同期させながら発生させる。閉塞効果抑制部としてのスピーカ部の駆動方法は、上記方法と同様である。
【０１０３】
第９実施形態によれば、本開示のイヤホン及び音響再生装置に好適な使用方法を提供することができる。第９実施形態によれば、実際の音に近い状態の音環境を再現することができる。第９実施形態によれば、使用者は優れた音像定位効果を感得することができる。
【０１０４】
次に、第１０実施形態に係る音響再生するためのプログラムについて説明する。プログラムは、本願開示のイヤホン及び音響再生装置に適用可能なプログラムである。プログラムは、本願開示の音響再生方法を実行することができる。図３２に示す音響再生装置を例にしてプログラムについて説明する。
【０１０５】
音響再生するためのプログラムは、第１音源に関連付けられた第１信号、及び第２音源に関連付けられた第２信号を同期させながら、第１信号を第１スピーカ部１に送信し、第２信号を第２スピーカ部３に送信するステップを音響再生装置１０００（例えば制御部１０）に実行させる。プログラムは、第１音源に基づいて第１信号を形成するステップと、第２音源に基づいて第２信号を形成するステップと、を音響再生装置１０００又はマイクロホンに実行させてもよい。
【０１０６】
上記の特許文献の各開示を、本書に引用をもって繰り込むものとする。本発明のイヤホン、音響再生装置、マイクロホン、音響再生方法、及びプログラムは、上記実施形態に基づいて説明されているが、上記実施形態に限定されることなく、本発明の全開示に枠内において、かつ本発明の基本的技術思想に基づいて、種々の開示要素（各請求項の各要素、各実施形態ないし実施例の各要素、各図面の各要素等を含む）に対し種々の変形、変更及び改良を含むことができることはいうまでもない。また、本発明の全開示の枠内において、種々の開示要素（各請求項の各要素、各実施形態ないし実施例の各要素、各図面の各要素等を含む）の多様な組み合わせ・置換ないし選択が可能である。
【０１０７】
本発明のさらなる課題、目的及び展開形態は、請求の範囲を含む本発明の全開示事項からも明らかにされる。
【０１０８】
本書に記載した数値範囲については、当該範囲内に含まれる任意の数値ないし小範囲が、別段の記載のない場合でも具体的に記載されているものと解釈されるべきである。
【０１０９】
上記実施形態の一部又は全部は、以下の付記のようにも記載されうるが、以下の記載には限定されない。
【０１１０】
［付記１］
音を発生させる第１スピーカ部及び第２スピーカ部と、
前記第１スピーカ部に関連付けられた第１出音部と、
前記第２スピーカ部に関連付けられた第２出音部と、
外耳道内の閉塞効果を抑制する閉塞効果抑制部と、を備え、
前記第１スピーカ部及び前記第２スピーカ部は個別に駆動可能である、イヤホン。
【０１１１】
［付記２］
前記第１出音部及び前記第２出音部は、前記イヤホンの耳への装着時に外耳道内に配される、付記に記載のイヤホン。
【０１１２】
［付記３］
前記イヤホンの耳への装着時に、前記第１スピーカ部及び前記第２スピーカ部は、外耳道内に配される、付記に記載のイヤホン。
【０１１３】
［付記４］
前記第１スピーカ部を収容する第１筐体と、
前記第２スピーカ部を収容する第２筐体と、
をさらに備える、付記に記載のイヤホン。
【０１１４】
［付記５］
前記第１出音部は前記第１筐体に配され、
前記第２出音部は前記第２筐体に配されている、付記に記載のイヤホン。
【０１１５】
［付記６］
前記第１出音部及び前記第２出音部は、前記第１筐体及び前記第２筐体の内外を連通する少なくとも１つの貫通孔である、付記に記載のイヤホン。
【０１１６】
［付記７］
前記イヤホンを耳に装着するためのイヤーピースをさらに備える、付記に記載のイヤホン。
【０１１７】
［付記８］
前記第１筐体及び前記第２筐体は、前記イヤーピースに保持される、付記に記載のイヤホン。
【０１１８】
［付記９］
前記イヤホンの耳への装着時に、前記第１スピーカ部及び前記第２スピーカ部は、外耳道外に配される、付記に記載のイヤホン。
【０１１９】
［付記１０］
前記第１スピーカ部で発生した音を前記第１出音部へ導く第１音導部と、
前記第２スピーカ部で発生した音を前記第２出音部へ導く第２音導部と、をさらに備え、
前記第１音導部と前記第２音導部とは物理的に隔離されている、付記に記載のイヤホン。
【０１２０】
［付記１１］
前記第１音導部及び前記第２音導部を有する筐体をさらに備える、付記に記載のイヤホン。
【０１２１】
［付記１２］
前記第１出音部は、前記筐体の外部と前記第１音導部とを連通する、前記筐体に配された貫通孔であり、
前記第２出音部は、前記筐体の外部と前記第２音導部とを連通する、前記筐体に配された貫通孔である、付記に記載のイヤホン。
【０１２２】
［付記１３］
前記第１音導部及び前記第２音導部は、前記筐体内に形成された管路である、付記に記載のイヤホン。
【０１２３】
［付記１４］
前記第１スピーカ部及び前記第２スピーカ部は前記筐体に収容されている、付記に記載のイヤホン。
【０１２４】
［付記１５］
前記イヤホンを耳に装着するためのイヤーピースをさらに備える、付記に記載のイヤホン。
【０１２５】
［付記１６］
前記イヤーピースは環状形状を有し、
前記筐体の一部に挿入されている、付記に記載のイヤホン。
【０１２６】
［付記１７］
第３スピーカ部をさらに備え、
１つの音導部に対して複数のスピーカ部が配されている、付記に記載のイヤホン。
【０１２７】
［付記１８］
前記閉塞効果抑制部は、前記イヤホンの耳への装着時に、外耳道の内外を連通させる貫通孔である、付記に記載のイヤホン。
【０１２８】
［付記１９］
前記閉塞効果抑制部は、前記筐体に配され、前記イヤホンの耳への装着時に、少なくとも１つの音導部と外耳道の外部とを連通する貫通孔である、付記に記載のイヤホン。
【０１２９】
［付記２０］
前記第１出音部及び前記第２出音部は略同一方向を向いている、付記に記載のイヤホン。
【０１３０】
［付記２１］
前記第１出音部及び前記第２出音部は異なる方向を向いている、付記に記載のイヤホン。
【０１３１】
［付記２２］
前記第１出音部及び前記第２出音部は、前記イヤホンの耳への装着時に外耳道面方向を向いている、付記に記載のイヤホン。
【０１３２】
［付記２３］
前記第１出音部及び前記第２出音部は、前記イヤホンの耳への装着時に鼓膜方向を向いている、付記に記載のイヤホン。
【０１３３】
［付記２４］
前記第１出音部及び前記第２出音部は、前記イヤホンの耳への装着時に、一方が外耳道面方向を向き、他方が鼓膜方向を向いている、付記に記載のイヤホン。
【０１３４】
［付記２５］
前記第１出音部及び前記第２出音部は、前記イヤホンの耳への装着時に鼓膜方向を向いている、付記に記載のイヤホン。
【０１３５】
［付記２６］
前記第１出音部及び前記第２出音部は、前記イヤホンの耳への装着時に、一方が外耳道入口寄りに配され、他方が鼓膜寄りに配される、付記に記載のイヤホン。
【０１３６】
［付記２７］
前記第１出音部及び前記第２出音部は、前記イヤホンの耳への装着時に、一方が外耳道入口寄りに配され、他方が鼓膜寄りに配される、付記に記載のイヤホン。
【０１３７】
［付記２８］
前記第１出音部及び前記第２出音部は、前記イヤホンの耳への装着時に、外耳道の径方向に配列される、付記に記載のイヤホン。
【０１３８】
［付記２９］
前記閉塞効果抑制部は前記イヤーピースに配される、付記に記載のイヤホン。
【０１３９】
［付記３０］
前記閉塞効果抑制部は、前記イヤホンの耳への装着時に、外耳道の内外を連通する、前記イヤーピースに配された貫通孔である、付記に記載のイヤホン。
【０１４０】
［付記３１］
前記閉塞効果抑制部は、音を発生させる第３スピーカ部を有する、付記に記載のイヤホン。
【０１４１】
［付記３２］
前記閉塞効果抑制部は、音を吸収する吸音部材を有する、付記に記載のイヤホン。
【０１４２】
［付記３３］
前記第１スピーカ部及び前記第２スピーカ部を実装するための基板をさらに備える、付記に記載のイヤホン。
【０１４３】
［付記３４］
前記第１スピーカ部及び前記第２スピーカ部を保持するためのホルダをさらに備える、付記に記載のイヤホン。
【０１４４】
［付記３５］
３つ以上のスピーカ部、及び３つ以上の出音部を備え、
１つの出音部に対し少なくとも１つのスピーカ部が関連付けられた、付記に記載のイヤホン。
【０１４５】
［付記３６］
付記に記載のイヤホンと、
各スピーカ部の駆動を個別的に制御する制御部と、備える音響再生装置。
【０１４６】
［付記３７］
前記制御部は、第１音源に関連付けられた第１信号を前記第１スピーカ部に供給し、第２音源に関連付けられた第２信号を前記第２スピーカ部に供給する、付記に記載の音響再生装置。
【０１４７】
［付記３８］
前記閉塞効果抑制部は、音を発生させる第３スピーカ部を含み、
前記制御部は、外耳道内で反響する音を減衰させる又は打ち消す音に関連付けられた第３信号を閉塞効果抑制部に供給する、付記に記載の音響再生装置。
【０１４８】
［付記３９］
第１受音部及び第２受音部を備え、
付記に記載のイヤホンにおける前記第１出音部及び前記第２出音部の相対的位置関係は、前記第１受音部及び前記第２受音部の相対的位置関係と対応する、マイクロホン。
【０１４９】
［付記４０］
前記第１受音部を前記第１出音部の位置に置いたとき、前記第２受音部の位置は前記第２出音部の位置と重なる、付記に記載のマイクロホン。
【０１５０】
［付記４１］
前記第１受音部及び前記第２受音部は、ダミーヘッドマイクに設けられている、付記に記載のマイクロホン。
【０１５１】
［付記４２］
第１音源及び第２音源を準備する工程と、
付記に記載のイヤホンにおける前記第１出音部及び前記第２出音部を外耳道内に配する工程と、
前記第１音源を前記第１出音部から出音させると共に、前記第１音源に同期させて前記第２音源を前記第２出音部から出音させる工程と、を含む音響再生方法。
【０１５２】
［付記４３］
前記第１音源及び前記第２音源を準備する工程において、バイノーラル録音により前記第１音源及び前記第２音源を作成する、付記に記載の音響再生方法。
【０１５３】
［付記４４］
前記第１音源及び前記第２音源を準備する工程において、第１受音部及び第２受音部を有するマイクロホンを用いて前記第１音源及び前記第２音源を作成し、
前記第１受音部において集音された音で前記第１音源を作成し、
前記第２受音部において集音された音で前記第２音源を作成し、
外耳道内における前記第１受音部及び前記第２受音部の相対的位置関係は、外耳道内における前記第１出音部及び前記第２出音部の相対的位置関係に対応する、付記に記載の音響再生方法。
【０１５４】
［付記４５］
前記第１音源及び前記第２音源を出音させる工程は、前記第１音源に関連付けられた第１信号を前記第１スピーカ部に送信する工程と、前記第１信号と同期させながら、前記第２音源に関連付けられた第２信号を前記第２スピーカ部に送信する工程と、をさらに含む、付記に記載の音響再生方法。
【０１５５】
［付記４６］
第１音源に関連付けられた第１信号及び第２音源に関連付けられた第２信号を同期させながら、前記第１信号を第１スピーカ部に送信し、前記第２信号を第２スピーカ部に送信するステップと、
を付記に記載の音響再生装置に実行させる、音響再生するためのプログラム。
【０１５６】
［付記４７］
前記第１スピーカ部及び前記第２スピーカ部は、付記に記載のイヤホンにおける第１スピーカ部及び第２スピーカ部である、付記に記載のプログラム。
【０１５７】
［付記４８］
前記第１音源に基づいて前記第１信号を形成するステップと、
前記第２音源に基づいて前記第２信号に形成するステップと、
を付記に記載の音響再生装置又は付記に記載のマイクロホンに実行させる、付記に記載のプログラム。
【産業上の利用可能性】
【０１５８】
本発明によれば、使用者が音像を立体的に把握することが可能となる。このため、本発明は、空間に配置される音像で方向及び距離を提示するナビゲーションに適用することができる。これにより、例えば、目の不自由な方、言葉の通じない外国の方、地図を見るのが困難な方等を、立体的な音で直接誘導することが可能となる。また、本発明は、聴覚を使用して機器を操作するマルチモーダルなユーザインタフェースにも適用することができる。例えば、本発明は、超臨場感なゲーム、対象物をディスプレイ以外に聴覚でも認識するレーダシステム、航空管制システム、救急救命システム、救助システム等に適用することができる。さらに、本発明は、エンターテイメントの分野にも適用可能である。例えば、本発明は、超臨場感シアター、ＳＮＳ（Social Networking Service）等を使ったライブ配信、音楽コンテンツのリアル化等に適用可能である。
【符号の説明】
【０１５９】
１，３３        第１スピーカ部
２        第１筐体
２ａ，３１ａ      第１出音部
３，３４        第２スピーカ部
４        第２筐体
４ａ，３１ｂ      第２出音部
５        基板
６        ホルダ
７，３２，４０，４１        イヤーピース
８，２１，３１ｆ，３２，４１ａ        閉塞効果抑制部
９        信号線
１０      制御部
１１      第３筐体
１１ａ    第３出音部
１２      第４筐体
１２ａ    第４出音部
３１      筐体
３１ｃ    第１収容部
３１ｄ    第２収容
３１ｅ    第３収容部
３５      第１音導部
３６      第２音導部
３７      隔離壁
３８      第３スピーカ部
３９      第４スピーカ部
４１ｂ    取付孔
５０      人
５１      外耳道
６１      第１受音部
６２      第２受音部
１００，２００，３００，４００，５００，６００，７００，８００，９００        イヤホン
１０００  音響再生装置
１１００  マイクロホン
【図１】
2016171250.tif 000003
【図２】
2016171250.tif 000004
【図３】
2016171250.tif 000005
【図４】
2016171250.tif 000006
【図５】
2016171250.tif 000007
【図６】
2016171250.tif 000008
【図７】
2016171250.tif 000009
【図８】
2016171250.tif 000010
【図９】
2016171250.tif 000011
【図１０】
2016171250.tif 000012
【図１１】
2016171250.tif 000013
【図１２】
2016171250.tif 000014
【図１３】
2016171250.tif 000015
【図１４】
2016171250.tif 000016
【図１５】
2016171250.tif 000017
【図１６】
2016171250.tif 000018
【図１７】
2016171250.tif 000019
【図１８】
2016171250.tif 000020
【図１９】
2016171250.tif 000021
【図２０】
2016171250.tif 000022
【図２１】
2016171250.tif 000023
【図２２】
2016171250.tif 000024
【図２３】
2016171250.tif 000025
【図２４】
2016171250.tif 000026
【図２５】
2016171250.tif 000027
【図２６】
2016171250.tif 000028
【図２７】
2016171250.tif 000029
【図２８】
2016171250.tif 000030
【図２９】
2016171250.tif 000031
【図３０】
2016171250.tif 000032
【図３１】
2016171250.tif 000033
【図３２】
2016171250.tif 000034
【図３３】
2016171250.tif 000035
【図３４】
2016171250.tif 000036
【図３５】
2016171250.tif 000037
【図３６】
2016171250.tif 000038
【国際調査報告】
2016171250.tif 000039
2016171250.tif 000040
2016171250.tif 000041
2016171250.tif 000042